(57)【特許請求の範囲】
【請求項１】
画像を表示する表示モジュールが裏面に固定され前記表示モジュールの表示部に対応する部分に開口部を有する前面外装カバーの前記開口部に対応する部分に開口部を有し、裏面外周の縁部分が、枠状の中抜きパネル板用クッションを介して前記前面外装カバーの表面に固定された中抜きパネル板と、
前記中抜きパネル板を振動させるエキサイタであって、一方の面が前記中抜きパネル板の裏面に固定され、他方の面がエキサイタ用クッションを介して前記前面外装カバーの表面に固定された１つ以上のエキサイタと、
前記中抜きパネル板の裏面の、前記エキサイタとの接触部分の周囲に固定された制振板と、
前記中抜きパネル板の前記エキサイタが接触している辺の裏面内周の縁部分と前記前面外装カバーの表面との間に固定されたシールドガスケットと、
前記中抜きパネル板の裏面と、前記前面外装カバーの表面と、前記中抜きパネル板用クッションと、前記シールドガスケットとによって形成される空間の、前記前面外装カバーの表面に配置された吸音材とを備えることを特徴とする平面スピーカ。
【請求項２】
画像を表示する表示モジュールが裏面に固定され前記表示モジュールの表示部に対応する部分に開口部を有する前面外装カバーの前記開口部に対応する部分に開口部を有し、裏面外周の縁部分が、枠状の中抜きパネル板用クッションを介して前記前面外装カバーの表面に固定された中抜きパネル板と、
前記中抜きパネル板を振動させるエキサイタであって、一方の面が前記中抜きパネル板の裏面に固定され、他方の面がエキサイタ用クッションを介して、固定ピース用クッションを介して前記中抜きパネル板の裏面に固定された固定ピースに固定された１つ以上のエキサイタと、
前記中抜きパネル板の裏面の、前記エキサイタとの接触部分の周囲に固定された制振板と、
前記中抜きパネル板の前記エキサイタが接触している辺の裏面内周の縁部分と前記前面外装カバーの表面との間に固定されたシールドガスケットと、
前記中抜きパネル板の裏面と、前記前面外装カバーの表面と、前記中抜きパネル板用クッションと、前記シールドガスケットとによって形成される空間の、前記前面外装カバーの表面に配置された吸音材とを備えることを特徴とする平面スピーカ。
【請求項３】
請求項２記載の平面スピーカにおいて、
前記中抜きパネル板に設けられた孔に筒状のグロメットを挿入し、該グロメットの中空部にねじを通し、前記前面外装カバーに設けられたねじ孔に前記ねじを螺合させることにより、前記中抜きパネルを前記前面外装カバーに固定したことを特徴とする平面スピーカ。
【請求項４】
請求項１乃至３の何れか１項に記載の平面スピーカにおいて、
前記中抜きパネル板用クッションおよび前記シールドガスケットにおける、前記エキサイタの固定位置近傍の部分の弾性率が他の部分よりも大きくなっていることを特徴とする平面スピーカ。
【請求項５】
請求項１乃至４の何れか１項に記載の平面スピーカにおいて、
第１のエキサイタが、前記中抜きパネル板の一辺に固定され、
第２のエキサイタが、前記中抜きパネル板の前記一辺に対向する辺に固定されていることを特徴とする平面スピーカ。
【請求項６】
請求項１乃至５の何れか１項に記載の平面スピーカにおいて、
前記エキサイタが圧電素子であることを特徴とする平面スピーカ。
【請求項７】
画像を表示する表示モジュールと、
前記表示モジュールが裏面に固定され、前記表示モジュールの表示部に対応する部分に開口部を有する前面外装カバーと、
前記前面外装カバーの前記開口部に対応する部分に開口部を有し、裏面外周の縁部分が、枠状の中抜きパネル板用クッションを介して前記前面外装カバーの表面に固定された中抜きパネル板と、
前記中抜きパネル板を振動させるエキサイタであって、一方の面が前記中抜きパネル板の裏面に固定され、他方の面がエキサイタ用クッションを介して前記前面外装カバーの表面に固定された１つ以上のエキサイタと、
前記中抜きパネル板の裏面の、前記エキサイタとの接触部分の周囲に固定された制振板と、
前記中抜きパネル板の前記エキサイタが接触している辺の裏面内周の縁部分と前記前面外装カバーの表面との間に固定されたシールドガスケットと、
前記中抜きパネル板の裏面と、前記前面外装カバーの表面と、前記中抜きパネル板用クッションと、前記シールドガスケットとによって形成される空間の、前記前面外装カバーの表面に配置された吸音材とを備えることを特徴とするスピーカ一体型ディスプレイ装置。
【請求項８】
画像を表示する表示モジュールと、
前記表示モジュールが裏面に固定され、前記表示モジュールの表示部に対応する部分に開口部を有する前面外装カバーと、
前記前面外装カバーの前記開口部に対応する部分に開口部を有し、裏面外周の縁部分が、枠状の中抜きパネル板用クッションを介して前記前面外装カバーの表面に固定された中抜きパネル板と、
前記中抜きパネル板を振動させるエキサイタであって、一方の面が前記中抜きパネル板の裏面に固定され、他方の面がエキサイタ用クッションを介して、固定ピース用クッションを介して前記中抜きパネル板の裏面に固定された固定ピースに固定された１つ以上のエキサイタと、
前記中抜きパネル板の裏面の、前記エキサイタとの接触部分の周囲に固定された制振板と、
前記中抜きパネル板の前記エキサイタが接触している辺の裏面内周の縁部分と前記前面外装カバーの表面との間に固定されたシールドガスケットと、
前記中抜きパネル板の裏面と、前記前面外装カバーの表面と、前記中抜きパネル板用クッションと、前記シールドガスケットとによって形成される空間の、前記前面外装カバーの表面に配置された吸音材とを備えることを特徴とするスピーカ一体型ディスプレイ装置。
【請求項９】
請求項８記載のスピーカ一体型ディスプレイ装置において、
前記中抜きパネル板に設けられた孔に筒状のグロメットを挿入し、該グロメットの中空部にねじを通し、前記前面外装カバーに設けられたねじ孔に前記ねじを螺合させることにより、前記中抜きパネルを前記前面外装カバーに固定したことを特徴とするスピーカ一体型ディスプレイ装置。
【請求項１０】
請求項７乃至９の何れか１項に記載のスピーカ一体型ディスプレイ装置において、
前記中抜きパネル板用クッションおよび前記シールドガスケットにおける、前記エキサイタの固定位置近傍の部分の弾性率が他の部分よりも大きくなっていることを特徴とするスピーカ一体型ディスプレイ装置。
【請求項１１】
請求項７乃至１０の何れか１項に記載のスピーカ一体型ディスプレイ装置において、
第１のエキサイタが、前記中抜きパネル板の一辺に固定され、
第２のエキサイタが、前記中抜きパネル板の前記一辺に対向する辺に固定されていることを特徴とするスピーカ一体型ディスプレイ装置。
【請求項１２】
請求項７乃至１１の何れか１項に記載のスピーカ一体型ディスプレイ装置において、
前記エキサイタが圧電素子であることを特徴とするスピーカ一体型ディスプレイ装置。
【発明の詳細な説明】
【技術分野】
【０００１】
本発明は、分割振動モードで動作する平面スピーカに関し、特に、スピーカ一体型ディスプレイ装置を構成する際に使用すると好適な平面スピーカに関する。
【背景技術】
【０００２】
従来からディスプレイ装置の表示部前面に透明パネル板を配置し、この透明パネル板を用いて分割振動モードで動作する平面スピーカを構成するということが行われている（例えば、特許文献１、２、３参照）。
【０００３】
図２１及び図２２は、透明パネル板を平面スピーカとして機能させるようにした従来のスピーカ一体型ディスプレイ装置の分解斜視図および横断面図である。
【０００４】
図２１及び図２２を参照すると、スピーカ一体型ディスプレイ装置の表示部前面に配置されるフラットな透明パネル板１ａの左縁，右縁の近傍には、マグネット及びボイスコイルから構成されるエキサイタ２がそれぞれ１個ずつ取り付けられている。この透明パネル板１ａは、枠状の発泡体クッション３を介して前面外装カバー５の表面側に取り付けられ、エキサイタ２は、発泡体クッション４を介して前面外装カバー５の表面側に取り付けられている。前面外装カバー５には、表示モジュール６の表示部８と対応する開口部が設けられており、この開口部と表示モジュール６の表示部８とを一致させた形で、表示モジュール６が防塵ガスケット９を介して前面外装カバー５の裏面に取り付けられている。また、前面外装カバー５の左右の辺に開けられている孔には、埃等の異物混入を防ぐ部品である防塵ネット７が取り付けられている。
【０００５】
このような、スピーカ一体型ディスプレイ装置においては、エキサイタ２が入力される音声信号に従って振動し、透明パネル板１ａがエキサイタ２の振動に従って撓むことにより、音が出力される。従って、透明パネル板１ａの全面から音が出力されることになるため、音源と映像を空間的に一致させて高い臨場感を得ることができる。また、上述した従来のスピーカ一体型ディスプレイ装置の周波数特性は、図２３に示すものとなる。同図に示すように、各周波数における音圧のばらつきが少ないため、良好な音質を得ることができる。なお、図２３において、横軸は周波数を、縦軸は音圧（ＳＰＬ）を表している。
【特許文献１】特開２００２−２８１５９７号公報
【特許文献２】特開２００３−１７９９８８号公報
【特許文献３】特開平１０−１９１４９６号公報
【発明の開示】
【発明が解決しようとする課題】
【０００６】
しかしながら、上述した従来の技術には、次のような課題がある。
【０００７】
第一の課題は、透明パネル板１ａが画像視認性へ悪影響を与えるという点である。透明パネル板１ａの素材としてアクリルを用いるが一般的であるが、このアクリル板表面に、室内の照明などの背景が映り込み、長時間の使用において、目の疲労を伴うケースがある。映り込みを防止する方法として、アクリル板表面にＡＲ（Anti Refrection）処理を施す方法があるが、高価な工法であり、例えば製品がコンシューマ向けのパーソナルコンピュータ用ディスプレイの場合、コストインパクトは多大であり商品性を損なう可能性がある。
【０００８】
第二の課題は、製造性と品質に関する問題である。透明パネル板１ａの内側に埃などの異物が混入した場合、構造上、ユーザーはこれを除去することができないため、製品の組立加工において十分な配慮が必要となる。組立加工は、防塵ブース内にて各部品の除塵を済ませた後組みつけが行われるため、膨大な設備費や加工工数が伴うばかりか、相応の検査工程も必要となる。
【０００９】
第三の課題は、部品コストに関する問題である。優れた音響特性を確保するため、透明パネル板１ａと前面外装カバー５と表示モジュール６とで構成される空間は一部開放する必要があり、ここからの異物混入を避けるため防塵ネット７が必要となる。また、表示モジュール６の表示部８の周囲と前面外装カバー５との合わせ部分においては、気密性確保を目的とした防塵ガスケット９も必要となり、防塵対策部品のコストもかさんでいく。さらに、従来技術において透明パネル板1ａには優れた光学特性と素材自体の高い製造品質（傷や異物混入など）が求められ、結果的に高価な素材選択を余儀なくされる。
【００１０】
第四の課題は、表示モジュール６の発する熱である。近年表示モジュールは大型化する傾向にあり、さらにＴＶ表示の需要も伴い高輝度化も進む中、その発熱量は増大する一方である。例えば大型のＴＦＴ液晶においては、直下型の発光方式を採用しモジュール内部に多数の蛍光管を内蔵するため、中型以下のＴＦＴ液晶と比較しその発熱量は格段に大きい。また、大型ディスプレイで広く採用されるPDP（プラズマ式）においては、発熱源となる蛍光体が表示表面に無数に存在するため、熱に関してはより深刻である。従来技術では、表示モジュール６の表示部８を透明パネル板１ａで覆う構造をもつため、表示モジュールメーカが保証する動作環境温度を満足するのが困難となり、従来技術で対応できる画面サイズには限界が訪れる。
【００１１】
そこで、本発明の目的は、低コストで、画像の視認性を確保できるようにすると共に、表示モジュールの発熱問題も解消できるようにすることにある。
【課題を解決するための手段】
【００１２】
本発明にかかる第１の平面スピーカは、
画像を表示する表示モジュールが裏面に固定され前記表示モジュールの表示部に対応する部分に開口部を有する前面外装カバーの前記開口部に対応する部分に開口部を有し、裏面外周の縁部分が、枠状の中抜きパネル板用クッションを介して前記前面外装カバーの表面に固定された中抜きパネル板と、
前記中抜きパネル板を振動させるエキサイタであって、一方の面が前記中抜きパネル板の裏面に固定され、他方の面がエキサイタ用クッションを介して前記前面外装カバーの表面に固定された１つ以上のエキサイタと、
前記中抜きパネル板の裏面の、前記エキサイタとの接触部分の周囲に固定された制振板と、
前記中抜きパネル板の前記エキサイタが接触している辺の裏面内周の縁部分と前記前面外装カバーの表面との間に固定されたシールドガスケットと、
前記中抜きパネル板の裏面と、前記前面外装カバーの表面と、前記中抜きパネル板用クッションと、前記シールドガスケットとによって形成される空間の、前記前面外装カバーの表面に配置された吸音材とを備えている。
【００１３】
本発明にかかる第２の平面スピーカは、
画像を表示する表示モジュールが裏面に固定され前記表示モジュールの表示部に対応する部分に開口部を有する前面外装カバーの前記開口部に対応する部分に開口部を有し、裏面外周の縁部分が、枠状の中抜きパネル板用クッションを介して前記前面外装カバーの表面に固定された中抜きパネル板と、
前記中抜きパネル板を振動させるエキサイタであって、一方の面が前記中抜きパネル板の裏面に固定され、他方の面がエキサイタ用クッションを介して、固定ピース用クッションを介して前記中抜きパネル板の裏面に固定された固定ピースに固定された１つ以上のエキサイタと、
前記中抜きパネル板の裏面の、前記エキサイタとの接触部分の周囲に固定された制振板と、
前記中抜きパネル板の前記エキサイタが接触している辺の裏面内周の縁部分と前記前面外装カバーの表面との間に固定されたシールドガスケットと、
前記中抜きパネル板の裏面と、前記前面外装カバーの表面と、前記中抜きパネル板用クッションと、前記シールドガスケットとによって形成される空間の、前記前面外装カバーの表面に配置された吸音材とを備えている。
【００１７】
本発明にかかる第１のスピーカ一体型ディスプレイ装置は、
画像を表示する表示モジュールと、
前記表示モジュールが裏面に固定され、前記表示モジュールの表示部に対応する部分に開口部を有する前面外装カバーと、
前記前面外装カバーの前記開口部に対応する部分に開口部を有し、裏面外周の縁部分が、枠状の中抜きパネル板用クッションを介して前記前面外装カバーの表面に固定された中抜きパネル板と、
前記中抜きパネル板を振動させるエキサイタであって、一方の面が前記中抜きパネル板の裏面に固定され、他方の面がエキサイタ用クッションを介して前記前面外装カバーの表面に固定された１つ以上のエキサイタと、
前記中抜きパネル板の裏面の、前記エキサイタとの接触部分の周囲に固定された制振板と、
前記中抜きパネル板の前記エキサイタが接触している辺の裏面内周の縁部分と前記前面外装カバーの表面との間に固定されたシールドガスケットと、
前記中抜きパネル板の裏面と、前記前面外装カバーの表面と、前記中抜きパネル板用クッションと、前記シールドガスケットとによって形成される空間の、前記前面外装カバーの表面に配置された吸音材とを備えている。
【００１８】
本発明にかかる第２のスピーカ一体型ディスプレイ装置は、
画像を表示する表示モジュールと、
前記表示モジュールが裏面に固定され、前記表示モジュールの表示部に対応する部分に開口部を有する前面外装カバーと、
前記前面外装カバーの前記開口部に対応する部分に開口部を有し、裏面外周の縁部分が、枠状の中抜きパネル板用クッションを介して前記前面外装カバーの表面に固定された中抜きパネル板と、
前記中抜きパネル板を振動させるエキサイタであって、一方の面が前記中抜きパネル板の裏面に固定され、他方の面がエキサイタ用クッションを介して、固定ピース用クッションを介して前記中抜きパネル板の裏面に固定された固定ピースに固定された１つ以上のエキサイタと、
前記中抜きパネル板の裏面の、前記エキサイタとの接触部分の周囲に固定された制振板と、
前記中抜きパネル板の前記エキサイタが接触している辺の裏面内周の縁部分と前記前面外装カバーの表面との間に固定されたシールドガスケットと、
前記中抜きパネル板の裏面と、前記前面外装カバーの表面と、前記中抜きパネル板用クッションと、前記シールドガスケットとによって形成される空間の、前記前面外装カバーの表面に配置された吸音材とを備えている。
【００２５】
〔作用〕
平面スピーカの振動板となる中抜きパネル板には、開口部が設けられている。この開口部の大きさは、表示モジュールの表示部の大きさとほぼ等しい。また、表示モジュールが裏面に固定される前面外装カバーにも、表示モジュールの表示部の大きさとほぼ等しい大きさの開口部が設けられている。上記中抜きパネル板は、中抜きパネル板用クッションを介して前面外装カバーの表面側に固定される。また、中抜きパネル板には、エキサイタが固定されており、このエキサイタが音声信号に従って振動することにより、中抜きパネル板が撓み、この撓みにより音が出力される。また、中抜きパネル板および前面外装カバーには、開口部が設けられているので、表示モジュールの表示面は、外部に露出した状態となる。
【発明の効果】
【００２６】
本発明によれば、次のような効果を得ることができる。
【００２７】
第一の効果は、視認性が向上するという点である。その理由は、開口部を有する中抜きパネル板を、平面スピーカの振動板としているからである。即ち、従来の技術では振動板となる透明パネル板越しに画像を見ることになるため、背景が透明パネル板に映り込み、視認性が悪かった。これに対して、本発明では、開口部を有する中抜きパネル板を振動板としており、上記開口部を介して表示モジュールに表示された画像を直接見ることができるため、映り込みが発生せず、視認性が向上する。
【００２８】
第二の効果は、製造性が向上するという点である。その理由は、開口部を有している中抜きパネル板を、平面スピーカの振動板としているからである。即ち、従来の技術では、透明パネル板内側への異物混入を避けるため、防塵ブース内での組立作業が余儀なくされるほか、各部品への除塵作業にも相応の時間を要し、更には、組立後の異物混入検査も必要とするため、製造性に大きな影響を与えている。これに対して、本発明では、開口部を有する中抜きパネル板を振動板としており、表示モジュールの表示部が外部に露出するため、表示部の汚れを容易に取り除くことができる。そのため、異物混入防止に要した生産設備や製造工程、検査工程の一切を不要とすることができ、従来の技術に比較して大幅な製造性改善が図ることができ、同時に安定品質の確保が容易となる。
【００２９】
第三の効果は、部品コストが低減するという点である。その理由は、開口部を有する中抜きパネル板を、平面スピーカの振動板としているからである。即ち、従来の技術では、表示モジュールに汚れが付着しないようにするため、防塵ガスケットや防塵ネットを設けることが必要であった。これに対して、本発明では、表示モジュールの表示部が外部に露出した状態となり、表示部に汚れがついても容易に取り除くことができるので、防塵ガスケットや防塵ネットが不要になり、その結果、部品コストが低減する。更に、従来の技術においては、透明パネル板には、視認性確保のため優れた光学性能と、異物混入等の無い高品質素材を求める結果、高価な素材を用いているが、本発明ではランクの低い安価な素材を用いても機能・外観上なんら問題は無く、大幅なコスト低減が可能となる。
【００３０】
第四の効果は、表示パネルの発熱問題を解消できるという点である。その理由は、開口部を有する中抜きパネル板を、平面スピーカの振動板としているからである。即ち、従来の技術では、表示モジュールで発生した熱が、透明パネル板の内側にこもるため、表示モジュールの大型化すなわち発熱量増大に対応することが難しかった。これに対して、本発明は、表示モジュールの表示部が外部に開放されているため、十分な放熱性が確保でき、大型ディスプレイにも対応することが可能になる。
【発明を実施するための最良の形態】
【００３１】
次に本発明の実施の形態について図面を参照して詳細に説明する。
【００３２】
〔第１の実施の形態〕
先ず、本発明の第１の実施の形態について説明する。本実施の形態は、従来例における表示モジュール６の表示部８全面を覆う透明パネル板１ａの代わりに、表示部８に対応する部分に開口部を有する中抜きパネル板を振動板として使用することを特徴とする。
【００３３】
〔第１の実施の形態の構成の説明〕
図１は本発明にかかるスピーカ一体型ディスプレイ装置の第１の実施の形態の分解斜視図、図２は組み立て後のスピーカ一体型ディスプレイ装置の横断面図、図３は組み立て後のスピーカ一体型ディスプレイ装置の縦断面図である。なお、図２はほぼ中央部分の横断面を示し、図３はエキサイタ２の配置位置の縦断面を示している。
【００３４】
図１〜図３を参照すると、前面外装カバー５には、表示モジュール（液晶モジュール等）６の表示部８とほぼ同じ大きさの開口部５１が設けられており、その裏面には、開口部５１と表示部８とが一致する状態で、表示モジュール６が取り付けられている。なお、本実施の形態では、表示部８の実装位置を極力前方にすることを目的にして、前面外装カバー５に前方向への凸形状部１１を設け、ここに表示モジュール６を実装させている。
【００３５】
振動板となる中抜きパネル板１には、開口部５１よりも僅かに大きい開口部１０が設けられており、中抜きパネル板１の左辺，右辺のほぼ中央部には、それぞれエキサイタ２が１個ずつ、接着材などによって固定されている。また、中抜きパネル板１は、開口部１０と開口部５１とを一致させた状態で、枠状の発泡体クッション３を介して前面外装カバー５の表面側に接着材などによって固定されており、エキサイタ２は、発泡体クッション４を介して前面外装カバー５の表面側に接着材などによって固定されている。
【００３６】
本実施の形態では、表示モジュール６の表示部８全体を覆う透明パネル板１ａの代わりに、開口部１０を有する中抜きパネル板１を振動板としているので、表示モジュール６の表示部８は、外部に露出した状態となる。従って、表示部８に汚れが付着したとしても、ユーザがその汚れを容易に拭き取るなどできるため、図２１の従来例における防塵ガスケット９や、防塵ネット７は不要となる。なお、本実施の形態では、図２に示すように、前面外装カバー５に前方への凸形状部１１を設け、そこに表示モジュール６を実装するようにしたが、図４に示すように、前面外装カバー５のフラットな縁部１７に表示モジュール６を実装するようにしても良い。このようにした場合は、凸形状部１１によって中抜きパネル板１の設置スペースが縮小されることがなくなるので、図２に比較して、振動板となる中抜きパネル板１の横幅を拡大することができ、音響性能確保上、有利である。
【００３７】
〔実施の形態の動作の説明〕
次に本実施の形態の動作について説明する。
【００３８】
エキサイタ２は、図示を省略した増幅器から入力される音声信号に従って振動し、中抜きパネル板１に撓みを発生させる。これにより、中抜きパネル板１から上記音声信号に応じた音が出力される。ここで、従来の透明パネル板１ａであっても、本実施の形態の中抜きパネル板１であっても、主に音を作り出しているエリアは、エキサイタ２周辺であるので、本実施の形態のように中抜きパネル板１を用いても、実用的には十分な音質を得ることができる。また、本実施の形態では、中抜きパネル板１の左辺および右辺で主に音が作り出され、中央部分では全く音が作り出されないので、透明パネル板１ａの全面を振動させる従来のスピーカ一体型ディスプレイ装置よりも高いステレオ効果を得ることができる。
【００３９】
〔第１の実施の形態の効果〕
本実施の形態によれば、次のような効果を得ることができる。
【００４０】
第一の効果は、視認性が向上するという点である。その理由は、開口部１０を有する中抜きパネル板１を、平面スピーカの振動板としているからである。即ち、従来の技術では振動板となる透明パネル板１ａ越しに画像を見ることになるため、背景が透明パネル板１ａに映り込み、視認性が悪かった。これに対して、本実施の形態では、開口部１０を有する中抜きパネル板１を振動板としており、上記開口部１０を介して表示モジュール６に表示された画像を直接見ることができるため、映り込みが発生せず、視認性が向上する。
【００４１】
第二の効果は、製造性が向上するという点である。その理由は、開口部１０を有する中抜きパネル板１を平面スピーカの振動板としているからである。即ち、従来の技術では、透明パネル板１ａの内側への異物混入を避けるため、防塵ブース内での組立作業が余儀なくされるほか、各部品への除塵作業にも相応の時間を要し、更には、組立後の異物混入検査も必要とするため、製造性に大きな影響を与えている。これに対して、本実施の形態では、開口部１０を有する中抜きパネル板１を振動板としており、表示モジュール６の表示部８が外部に露出するため、表示部８の汚れを容易に取り除くことができる。そのため、異物混入防止に要した生産設備や製造工程、検査工程の一切を不要とすることができ、従来の技術に比較して大幅な製造性改善が図ることができ、同時に安定品質の確保が容易となる。
【００４２】
第三の効果は、部品コストが低減するという点である。その理由は、開口部１０を有する中抜きパネル板１を平面スピーカの振動板としているからである。即ち、従来の技術では、表示モジュール６に汚れが付着しないようにするため、防塵ガスケット９や防塵ネット７を設けることが必要であった。これに対して、本実施の形態では、表示モジュール６の表示部８が外部に露出した状態となり、表示部８に汚れがついても容易に取り除くことができるので、防塵ガスケット９や防塵ネット９が不要になり、その結果、部品コストが低減する。更に、従来の技術においては、透明パネル板１ａには、視認性確保のため優れた光学性能と、異物混入等の無い高品質素材を求める結果、高価な素材を用いているが、本実施の形態ではランクの低い安価な素材を用いても機能・外観上なんら問題は無く、大幅なコスト低減が可能となる。
【００４３】
第四の効果は、表示パネルの発熱問題を解消できるという点である。その理由は、開口部１０を有する中抜きパネル板１を、平面スピーカの振動板としているからである。即ち、従来の技術では、表示モジュール６で発生した熱が、透明パネル板１ａの内側にこもるため、表示モジュールの大型化すなわち発熱量増大に対応することが難しかった。これに対して、本実施の形態は、表示モジュール６の表示部８が外部に開放されているため、十分な放熱性が確保でき、大型ディスプレイにも対応することが可能になる。
【００４４】
第５の効果は、高いステレオ効果を得ることができるという点である。その理由は、開口部１０を有する中抜きパネル板１を平面スピーカの振動板にすると共に、上記中抜きパネル板１の左辺，右辺を振動させる第１，第２のエキサイタ２を備えているからである。即ち、中抜きパネル板１の左辺および右辺において、音が発生し、中央部分では音が発生しないため、高いステレオ効果を得ることができる。
【００４５】
〔第２の実施の形態〕
次に、本発明にかかるスピーカ一体型ディスプレイ装置の第２の実施の形態について説明する。本実施の形態は、エキサイタの振動が前面外装カバーに伝わりにくくすることにより、ビリ音（装置の構成部品の共鳴音や、構成部品がぶつかりあうことにより発生する異音）を発生しにくくしたことを特徴とする。
【００４６】
〔第２の実施の形態の構成の説明〕
図５は本発明にかかるスピーカ一体型ディスプレイ装置の第２の実施の形態の分解斜視図、図６は組み立て後のスピーカ一体型ディスプレイ装置の縦断面図である。なお、図６は、エキサイタ２の配置部分の縦断面を示している。また、図５及び図６において、図１〜図３と同一符号は同一部分を表している。
【００４７】
図５及び図６を参照すると、エキサイタ２の一方の面は、発泡体クッション３を介して接着材などにより固定ピース１２に固定され、エキサイタ２の他方の面は、接着材などにより中抜きパネル板１の裏面に固定され、固定ピース１２は、発泡体クッション１３を介して接着材などにより中抜きパネル板１の裏面に固定されている。なお、本実施の形態では、固定ピース１２を中抜きパネル板１の左辺及び右辺にそれぞれ１個ずつ固定している。
【００４８】
また、開口部１０を有する中抜きパネル板１は、枠状の発泡体クッション３を介して接着材などにより、前面外装カバー５の表面側に固定されている。前面外装カバー５の左辺及び右辺の、固定ピース１２と対向する部分には、固定ピース１２よりも僅かに大きい開口部５２が設けられており、固定ピース１２が前面外装カバー５と接触しないようになっている。従って、本実施の形態では、エキサイタ２の振動が前面外装カバー５に伝わる経路は、発泡体クッション３を介して経路のみとなる。
【００４９】
また、開口部５１を有する前面外装カバー５の裏面側には、第１の実施の形態と同様に、表示モジュール６が固定されている。なお、本実施の形態では、中抜きパネル板１の左辺及び右辺にエキサイタ２を固定するようにしたが、図７に示すように、開口部下部１９にもエキサイタ２を固定するようにしても良い。即ち、左右チャネルに加え、センタチャネルを設けるようにしても良い。更に、中抜きパネル板１に取り付けるエキサイタ２の数を増やし、マルチチャネル化を図ったり、また、同一チャネルに複数個のエキサイタ２を対応付け、高出力を図るようにしても良い。また、第１の実施の形態において、３個以上のエキサイタ２を中抜きパネル板１に取り付けるようにしても良い。
【００５０】
〔第２の実施の形態の動作の説明〕
本実施の形態においても、第１の実施の形態と同様に、図示を省略した増幅器から出力される電気信号によってエキサイタ２を振動させ、その振動によって中抜きパネル板１に撓みを発生させることにより、音を発生させる。図８は本実施の形態にかかるスピーカ一体型ディスプレイ装置の周波数特性の測定データを示す。なお、図８において、横軸は周波数を、縦軸は音圧を表している。図８を参照して分かるように、本実施の形態にかかるスピーカ一体型ディスプレイ装置は、各周波数における音圧のばらつきが少なく、良好な音質を得ることができる。なお、第１の実施の形態にかかるスピーカ一体型ディスプレイ装置においても、同様な周波数特性を得ることができる。
【００５１】
〔第２の実施の形態の効果〕
本実施の形態よれば、第１の実施の形態が有している効果に加え、次のような効果を得ることができる。第１の実施の形態では、エキサイタ２の振動が前面外装カバー５に伝わる経路が、発泡体クッション３を介する経路と、発泡体クッション４を介する経路との２つの経路が存在したが、本実施の形態では、発泡体クッション３を介する経路だけとなるので、エキサイタ２の振動が前面外装カバー５に伝わりにくくなり、その結果、ビリ音を発生しにくくすることができる。
【００５２】
〔第３の実施の形態〕
次に、本発明にかかるスピーカ一体型ディスプレイ装置の第３の実施の形態について説明する。本実施の形態は、枠状の発泡体クッション３を用いる代わりに、ねじ、グロメットおよびカラーを用いて、エキサイタ２の振動が前面外装カバーに伝わりにくくしたことを特徴とする。
【００５３】
〔第３の実施の形態の構成の説明〕
図９は本発明にかかるスピーカ一体型ディスプレイ装置の第３の実施の形態の分解斜視図、図１０は中抜きパネル板１と前面外装カバー５との固定部分の断面図である。なお、図９及び図１０において、図５及び図６と同一符号は、同一部分を表している。
【００５４】
図９及び図１０を参照すると、中抜きパネル板１の四隅には、孔９１が開けられており、前面外装カバー５の孔９１と対向する部分には、ネジ孔９２が開けられている。
【００５５】
孔９１には、軟性樹脂の成形品である、円筒状のグロメット１５が挿入され、グロメット１５の中空部には、ネジ１４が挿入される。また、ネジ１４の頭の部分とグロメット１５との間には、ネジ締めによるグロメット１５の潰れを防止するためのスペーサとして機能するカラー１６が挿入されている。上記した状態にあるネジ１４の先端部とネジ孔９２とを螺合させることにより、中抜きパネル板１と前面外装カバー５を固定するようにしている。
【００５６】
本実施の形態においても、第２の実施の形態と同様に、エキサイタ２は、固定ピース１２により中抜きパネル板１の裏面側に固定されているので、エキサイタの振動が前面外装カバー５に伝わる経路は、ネジ１４を介した経路のみとなる。
【００５７】
〔第３の実施の形態の効果〕
本実施の形態よれば、第１の実施の形態が有している効果に加え、次のような効果を得ることができる。第１の実施の形態では、エキサイタ２の振動が前面外装カバー５に伝わる経路が、発泡体クッション３を介する経路と、発泡体クッション４を介する経路との２つの経路が存在したが、本実施の形態では、ネジ１４を介する経路だけとなるので、エキサイタ２の振動が前面外装カバー５に伝わりにくくなり、その結果、ビリ音を発生しにくくすることができる。
【００５８】
〔第４の実施の形態〕
次に、本発明にかかるスピーカ一体型ディスプレイ装置の第４の実施の形態について説明する。本実施の形態は、制振板、吸音材などを利用することにより、周波数特性を向上させたことを特徴とする。
【００５９】
〔第４の実施の形態の構成の説明〕
図１１は、本実施の形態にかかるスピーカ一体型ディスプレイ装置のエキサイタ２の周辺の正面図、図１２はその縦断面図、図１３は図１１のあ−あ部分の断面図、図１４は図１１のい−い部分の断面図である。
【００６０】
図１１〜図１４を参照すると、エキサイタ２の一方の面は中抜きパネル板１の裏面側に固定され、他方の面は前面外装カバー５の表面側に固定されている。中抜きパネル板１の裏面の、エキサイタ２の取り付け部分の周囲には、発泡体クッション等によって構成される制振板２４が接着材などによって固定されている。なお、制振板２４のエキサイタ２と対応する部分には穴２５が開けられており、エキサイタ２が、中抜きパネル板１と直接接触するようになっている。
【００６１】
中抜きパネル板１の裏面側の外周部分には、枠状の発泡体クッション３の一方の面が接着材などによって固定されており、前面外装カバー５の表面側の外周部分には、上記発泡体クッション３の他方の面が接着材などによって固定されている。なお、上記発泡体クッション３の一部（エキサイタ２の固定位置近傍の部分）は、補助タンパ２２に置き換えられている。補助タンパ２２は、発泡体クッション３よりも弾性率が大きい（硬い）発泡体クッションによって実現される。
【００６２】
また、中抜きパネル板１の裏面側の内周部分の内の、エキサイタ２と接触している辺の内周部分には、発泡体クッション３と同じ材質のシールドガスケット２７の一方の面が接着材などにより固定されており、上記シールドガスケット２７の他方の面は、前面外装カバー５の表面に接着材などにより固定されている。なお、シールドガスケット２７の一部（エキサイタ２の固定位置近傍の部分）は、補助ダンパ２３に置き換えられている。
【００６３】
また、中抜きパネル板１、シールドガスケット２７、前面外装カバー５及び発泡体クッション３によって形成される空間部分には、吸音材２６が配置されている。本実施の形態では、前面外装カバー５の表面側に吸音材２６を接着材などによって固定している。
【００６４】
補助タンパ２２、２３及び制振板２４は、振動の緩衝を制御し、吸音材２６、発泡体クッション３及びシールドガスケット２７は、中抜きパネル板１と前面外装カバー５との間で発生する反響音の影響を少なくする。これら機能により、周波数特性が向上する。図１５に本実施の形態にかかるスピーカ一体型ディスプレイ装置の周波数特性の測定結果を示す。図８に示した第２の実施の形態にかかるスピーカ一体型ディスプレイ装置の周波数特性に比較して、本実施の形態にかかるスピーカ一体型ディスプレイ装置の周波数特性の方が各周波数における音圧のばらつきが少なく、周波数特性が向上している。なお、本実施の形態では、エキサイタ２を中抜きパネル板１の裏面と前面外装カバー５の表面とに固定するようにしたが、図５及び図６に示すように、固定ピース１２を用いて中抜きパネル板１の裏面のみに固定するようにしても良い。
【００６５】
〔第４の実施の形態の効果〕
本実施の形態によれば、第１の実施の形態にかかるスピーカ一体型ディスプレイ装置が有している効果に加え、周波数特性を向上させることが可能になるという効果を得ることができる。その理由は、補助ダンパ２２、２３と、制振板２４と、吸音材２６と、シールドガスケット２７とを備えているからである。
【００６６】
〔第５の実施の形態〕
次に、本発明にかかる第５の実施の形態について説明する。本実施の形態は、前面外装カバー自体を振動板として利用することを特徴とする。
【００６７】
〔第５の実施の形態の構成の説明〕
図１６は本発明にかかるスピーカ一体型ディスプレイ装置の第５の実施の形態の分解斜視図、図１７はその縦断面図である。なお、図１７は、エキサイタ２の配置部分の縦断面を示している。
【００６８】
図１６及び図１７を参照すると、本実施の形態のスピーカ一体型ディスプレイ装置には、第１〜第４の実施の形態で振動板として使用した中抜きパネル板１は設けられていない。本実施の形態では、表示モジュール６の表示部とほぼ同様の大きなの開口部５１を有する前面外装カバー５自体を振動板として使用するようにしている。そのため、エキサイタ２の一方の面が発泡体クッション４を介して接着剤などによって固定された固定ピース１２を、発泡体クッション１３を介して前面外装カバー５の裏面に接着材などにより固定すると共に、上記エキサイタ２の他方の面を前面外装カバー５の裏面に接着材などにより固定している。
【００６９】
〔第５の実施の形態の効果〕
本実施の形態によれば、第１の実施の形態が有している効果に加え、スピーカ一体型ディスプレイ装置を経済的に構成できるという効果を得ることができる。その理由は、前面外装カバー５にエキサイタ２を固定し、前面外装カバー５を平面スピーカの振動板として利用しているからである。
【００７０】
〔第６の実施の形態〕
次に、本発明にかかる第６の実施の形態について説明する。本実施の形態は、エキサイタとして圧電素子を使用することを特徴とする。
【００７１】
〔第６の実施の形態の構成の説明〕
図１８は本発明にかかるスピーカ一体型ディスプレイ装置の第６の実施の形態の分解斜視図、図１９はその縦断面図である。
【００７２】
図１８及び図１９を参照すると、本実施の形態のスピーカ一体型ディスプレイ装置は、背面外装カバー３３と、制御基板３２と、内部フレーム２９と、液晶モジュール等の表示モジュール６と、フレーム用防塵ガスケット３０と、表示モジュール用防塵ガスケット３１と、圧電素子からなるエキサイタ２８と、開口部５１を有する前面外装カバー５と、発泡体クッション３と、開口部１０を有する中抜きパネル板１と、カバー固定ネジ３４とから構成されている。
【００７３】
図１８及び図１９を参照すると、前面外装カバー５の前面側には、枠状の発泡体クッション３を介して中抜きパネル板１が固定されている。中抜きパネル板１及び前面外装カバー５には、表示モジュール６の表示部とほぼ同じ大きさの開口部１０，５１が設けられている。
【００７４】
中抜きパネル板１の裏面には、圧電素子からなるエキサイタ２８が接着材などにより固定されている。表示モジュール６は、その表示部が開口部５１と一致する状態で、表示モジュール用防塵ガスケット３１を介して前面外装カバー５の裏面に固定されている。表示モジュール６の他方の面は、内部フレーム２９に固定されている。内部フレーム２９は、フレーム用防塵ガスケット３０を介して前面外装カバー５の裏面に固定されている。また、内部フレーム２９の裏面には、制御基板３２が取り付けられている。前面外装カバー５は、カバー固定ネジ３４によって背面外装カバー３３に固定される。
【００７５】
〔第６の実施の形態の効果〕
本実施の形態によれば、第１の実施の形態が有している効果に加え、スピーカ一体型ディスプレイ装置を小型化することができるという効果を得ることができる。その理由は、エキサイタとして圧電素子を使用するようにしたからである。このように、本実施の形態によれば、スピーカ一体型ディスプレイ装置を小型化することができるので、携帯電話をはじめとする携帯情報端末に適用すると好適である。
【００７６】
〔他の実施の形態〕
本発明は、上述した実施の形態に限定されるものではなく、各実施の形態を組み合わせたり、各種の変形が可能である。例えば、表示モジュール６の表示部８の前面に透明電極を配置し、タッチパネルを構成するようにしても良い。また、中抜きパネル板１の一部にスリットを設けるようにしても良い。例えば、図２０（ａ）に示すように、中抜きパネル板１の上辺にスリット１０１を設けたり、図２０（ｂ）に示すように中抜きパネル板１の上辺及び下辺にそれぞれスリット１０１，１０２を設けても良い。
【産業上の利用可能性】
【００７７】
携帯電話機などの携帯機器に利用することができる。
【図面の簡単な説明】
【００７８】
【図１】本発明にかかるスピーカ一体型ディスプレイ装置の第１の実施の形態の分解斜視図である。
【図２】本発明にかかるスピーカ一体型ディスプレイ装置の第１の実施の形態の横断面図である。
【図３】本発明にかかるスピーカ一体型ディスプレイ装置の第１の実施の形態の縦断面図である。
【図４】表示モジュール６の前面外装カバー５への実装例を示す断面図である。
【図５】本発明にかかるスピーカ一体型ディスプレイ装置の第２の実施の形態の分解斜視図である。
【図６】本発明にかかるスピーカ一体型ディスプレイ装置の第２の実施の形態の縦断面図である。
【図７】エキサイタ２の取り付け位置の一例を示す図である。
【図８】本発明にかかるスピーカ一体型ディスプレイ装置の第２の実施の形態の周波数特性の測定結果を示す図である。
【図９】本発明にかかるスピーカ一体型ディスプレイ装置の第３の実施の形態の分解斜視図である。
【図１０】本発明にかかるスピーカ一体型ディスプレイ装置の第３の実施の形態の断面図である。
【図１１】本発明にかかるスピーカ一体型ディスプレイ装置の第４の実施の形態のエキサイタ２の周辺の正面図である。
【図１２】本発明にかかるスピーカ一体型ディスプレイ装置の第４の実施の形態の縦断面図である。
【図１３】図１１のあ−あ部分の断面図である。
【図１４】図１１のい−い部分の断面図である。
【図１５】本発明にかかるスピーカ一体型ディスプレイ装置の第４の実施の形態の周波数特性の測定結果を示す図である。
【図１６】本発明にかかるスピーカ一体型ディスプレイ装置の第５の実施の形態の分解斜視図である。
【図１７】本発明にかかるスピーカ一体型ディスプレイ装置の第５の実施の形態の縦断面図である。
【図１８】本発明にかかるスピーカ一体型ディスプレイ装置の第６の実施の形態の分解斜視図である。
【図１９】本発明にかかるスピーカ一体型ディスプレイ装置の第６の実施の形態の縦断面図である。
【図２０】スリットを入れた中抜きパネル板１の一例を示すずである。
【図２１】従来のスピーカ一体型ディスプレイ装置の分解斜視図である。
【図２２】従来のスピーカ一体型ディスプレイ装置の横断面図である。
【図２３】従来のスピーカ一体型ディスプレイ装置の周波数特性の測定結果を示す図である。
【符号の説明】
【００７９】
１…中抜きパネル板
１０…開口部
１ａ…透明パネル板
２…エキサイタ
３…発泡体クッション
４…発泡体クッション
５…前面外装カバー
５１…開口部
５２…開口部
６…表示モジュール
７…防塵ネット
８…表示部
９…防塵ガスケット
１１…凸形状部
１２…固定ピース
１３…発泡体クッション
１４…ネジ
１５…グロメット
１６…カラー
１９…開口部下部
９１…孔
９２…ネジ孔
２２…補助ダンパ
２３…補助ダンパ
２４…制振板
２５…穴
２６…吸音材
２７…シールドガスケット
２９…内部フレーム
３０…フレーム用防塵ガスケット
３１…表示モジュール用防塵ガスケット
３２…制御基板
３３…背面外装カバー
３４…カバー固定ネジ
１０１…スリット
１０２…スリット
【図１】
0004437106.tif 000002
【図２】
0004437106.tif 000003
【図３】
0004437106.tif 000004
【図４】
0004437106.tif 000005
【図５】
0004437106.tif 000006
【図６】
0004437106.tif 000007
【図７】
0004437106.tif 000008
【図８】
0004437106.tif 000009
【図９】
0004437106.tif 000010
【図１０】
0004437106.tif 000011
【図１１】
0004437106.tif 000012
【図１２】
0004437106.tif 000013
【図１３】
0004437106.tif 000014
【図１４】
0004437106.tif 000015
【図１５】
0004437106.tif 000016
【図１６】
0004437106.tif 000017
【図１７】
0004437106.tif 000018
【図１８】
0004437106.tif 000019
【図１９】
0004437106.tif 000020
【図２０】
0004437106.tif 000021
【図２１】
0004437106.tif 000022
【図２２】
0004437106.tif 000023
【図２３】
0004437106.tif 000024